(57)【要約】  本発明は、底部から分与する容器に入ったゲル洗剤組成物に関する。
2009536249.tif 000002
【特許請求の範囲】
【請求項１】
ゲル組成物を貯蔵及び分与する商品であって、
（ａ）底部から分与する容器と、
（ｂ）前記底部から分与する容器の中に解放可能に貯蔵されたゲル洗剤組成物とを備えてなり、前記ゲル洗剤組成物が、
（ｉ）界面活性剤と、
（ｉｉ）中和されていない脂肪酸とを含み、
分与したときに前記ゲル洗剤組成物がもり上がる、商品。
【請求項２】
前記界面活性剤に対する前記中和されていない脂肪酸の重量比が、等式（Ｉ）で定義されるもり上がり指標値Ｐ以上、かつ１未満であり、
Ｐ＝０．３５−（０．０１×Ａ）        （Ｉ）
式中Ａが界面活性剤の総濃度である、請求項１に記載の商品。
【請求項３】
前記界面活性剤の総量が重量比で組成物の２５％未満である、請求項２又は請求項３に記載の商品。
【請求項４】
前記底部から分与する容器が透明若しくは半透明である、請求項１〜３のいずれか一項に記載の商品。
【請求項５】
前記組成物の臨界剪断応力が１０Ｐａより高い、請求項１〜４のいずれか一項に記載の商品。
【請求項６】
前記ゲル洗剤組成物が、ビルダー、増白剤、移染防止剤、構造剤、キレート剤、ポリアクリレートポリマー、分散剤、染料、香料、加工補助剤、漂白剤、漂白活性剤、漂白触媒、溶媒、酵素、汚れ放出ポリマー、及びその混合物から選択される補助成分を含む、請求項１〜５のいずれか一項に記載の商品。
【請求項７】
前記透明若しくは半透明の底部から分与する容器が、ポリプロピレン、ポリエチレン、ポリカーボネート、ポリアミド、ポリエチレンテレフタレート、ポリ塩化ビニル、ポリスチレン、及びこれらの混合物から選択される高分子材料である、請求項１〜６のいずれか一項に記載の商品。
【請求項８】
ゲル組成物を貯蔵及び分与する商品であって、
（ａ）底部から分与する容器と、
（ｂ）前記底部から分与する容器の中に解放可能に貯蔵された滴らないゲル洗剤組成物とを備えてなり、前記ゲル洗剤組成物が、
（ｉ）界面活性剤と、
（ｉｉ）中和されていない脂肪酸とを含み、
前記界面活性剤に対する中和されていない脂肪酸の重量比が、等式（ＩＩ）で定義されるスナップ指標値Ｓ以上、かつ１未満であり、
Ｓ＝０．３−（０．００８５×Ａ）        （ＩＩ）
式中Ａが界面活性剤の総濃度である、商品。
【請求項９】
少なくとも２つの請求項８に記載の商品からなる、洗濯用製品の配列。
【請求項１０】
前記組成物が布地に接触することを可能にするために、少なくとも請求項８に記載の商品を圧搾する工程を含む、布地を取り扱う方法。
【発明の詳細な説明】
【技術分野】
【０００１】
本発明は、底部から分与する容器に入ったゲル洗剤組成物に関する。
【背景技術】
【０００２】
濃縮された液体若しくはゲルの洗濯用製品を粉末洗剤よりも好む消費者が多い。しかし、ゲルの１つの欠点は、消費者が望ましい分量の分与を停止するとき、実際のところ、流れを中断するのが困難である。結果として洗剤は滴り続ける。注ぐ作業の終わりに、速やかに元の状態に戻って、分与のあとの滴りを避けることができる液体／ゲル洗剤組成物が望ましい。
【０００３】
同様に、洗濯用製品は前処理用品としてもまた頻繁に使用されるため、「もり上がる」特性、すなわち、ゲルのように、布地の表面にもり上がる製品の特性の方が本質的に広い面積に広がるよりも望ましい。もり上げることのできるゲル洗濯用製品は、洗剤が布地の望まれる領域（例えば、汚点、又は染み）に、より集中するので、前処理において、使用するのが面倒ではなくなり、かつより良い染み除去を提供する。
【０００４】
さらに、包装の更新性に関しては、包装担当技術者にとっては液体製品が困難な課題であるため、強力な液体若しくはゲル洗剤及びその他の液体消費者製品の必要性に見合うことが特に困難である。例えば、この包装は、子どもから中年、さらに老齢者まで幅広い年齢の消費者によって、簡便に分与されなくてはならない。加えて、包装の構造的一体性を確立することの難しさが顕著に増加している。さらに、こうした包装を消費者に安価で提供することが望ましい。
【発明の開示】
【発明が解決しようとする課題】
【０００５】
従って、より良い染み除去を提供し、使用が容易若しくは便利で、かつ消費者に対して美的に魅力がある、パッケージ化されたコンパクトな洗濯用液体若しくはゲル消費者製品の要望が依然としてある。
【課題を解決するための手段】
【０００６】
本発明の１つの態様は、ゲル組成物を貯蔵及び分与するための商品であって、
（ａ）底部から分与する容器と、
（ｂ）前記底部から分与する容器の中に解放可能に貯蔵されたゲル洗剤組成物とを備えてなり、前記ゲル洗剤組成物が、
（ｉ）界面活性剤と、
（ｉｉ）中和されていない脂肪酸とを含み、
かつ分与したときに前記ゲル洗剤組成物がもり上がる、商品に関する。
【０００７】
本発明の他の態様は、ゲル組成物を貯蔵及び分与する商品であって、
（ａ）底部から分与する容器と、
（ｂ）前記底部から分与する容器の中に解放可能に貯蔵された滴らないゲル洗剤組成物とを備えてなり、前記ゲル洗剤組成物が、
（ｉ）界面活性剤と、
（ｉｉ）中和されていない脂肪酸とを含み、
前記界面活性剤に対する中和されていない脂肪酸の重量比が、等式（ＩＩ）で定義されるスナップ指標値Ｓ以上、かつ約１未満であり、
Ｓ＝０．３−（０．００８５×Ａ）          （ＩＩ）
式中Ａが界面活性剤の総濃度である、商品に関する。
【０００８】
本発明の他の態様は、ゲル組成物を貯蔵及び分与する商品であって、
（ａ）底部から分与する容器と、
（ｂ）前記底部から分与する容器の中に解放可能に貯蔵されたゲル洗剤組成物とを備えてなり、前記ゲル洗剤組成物が、
（ｉ）界面活性剤と、
（ｉｉ）中和されていない脂肪酸とを含み、
前記界面活性剤に対する中和されていない脂肪酸の重量比が、等式（ＩＩＩ）で定義されるゲル化指標値ＧＩＶ以上、かつ約１未満であり、
【数１】
2009536249.tif 000003
式中Ａが界面活性剤の総濃度である、商品に関する。
【発明を実施するための最良の形態】
【０００９】
底部から分与する容器−本発明にかかる商品は底部から分与する容器を含む。１つの実施形態では、底部から分与する容器は、少なくとも部分的に、より具体的には全体が、透明若しくは半透明であってもよい。他の実施形態では、底部から分与する容器は、少なくとも部分的に、より具体的には全体が、不透明であってもよい。
【００１０】
１つの実施形態では、底部から分与する容器は、液体を分与するための底部の開口、及びゲル洗剤組成物を分与する作動手段を含む。底部から分与する容器の１つの型は、圧搾作動する容器である。圧搾容器は通常弾性的に変形できる材料より形成され、かつ開口を貫通する流れを制御するための弁を持つ可能性のある開口を有する。弁を回転することによって作動する開閉弁は、使用できる弁の１つの型である。弁前後の圧力差に応じて流量を調節する感圧分与弁は、他の特に有用な弁である。このような弁は、通常、閉止であり、かつ容器が圧搾された場合に開く構成をとるように構成することができる。底部から分与する圧搾容器の所望する特徴には、分与間の液体若しくはゲルの損失を防ぐためのキャップを含む。ポンプ機構を有する剛体材料の底部から分与する容器も、本明細書に用いるのに好適である。
【００１１】
包装底部から分与する容器は、その他の包装構成に優る、有利な点をいくつか有する。容器は反転させる必要が無いので、分与するために要求される使用者の動作が少なくてすみ、位置付け及び分与の調整が、注ぐ若しくは反転して圧搾する容器よりもより良くできる。このため、例えば、使用者は、手首を捻って粘稠な液体が開口まで移動するのを待つ必要がなく、頂部から注ぐのに適合した容器の使用時に、その容器が充満された場合に、流量調整を容易にできる。底部から分与する容器は、ほとんど全ての液体を分与できるように構成されているが、これは、ポンプを頂部に有する容器では、通常は可能ではない。感圧弁を有する底部から分与する容器は、別途閉鎖する機構を必要としないという有利な点もある。
【００１２】
底部から分与する容器は、ガラス、金属、ポリマー等、及びこれらの組合せなどのような、いかなる好適な材料から作成されてもよい。１つの実施形態では、この底部から分与する容器は、高分子材料からなるが、フィルム製の窓がついた板紙のカートン及びガラス瓶などのような、その他の包装も使用することができる。１つの実施形態では、底部から分与する容器は、ポリプロピレン（ＰＰ）、ポリエチレン（ＰＥ）、ポリカーボネート（ＰＣ）、ポリアミド類（ＰＡ）、ポリエチレンテレフタレート（ＰＥＴ）、ポリ塩化ビニル（ＰＶＣ）、ポリスチレン類（ＰＳ）、及びそれらの組合せから選択される高分子材料である。
【００１３】
本発明にかかる底部から分与する容器は、家庭用の液体を貯蔵かつ包装するために好適な任意の形状若しくは大きさであってもよい。例えば、１つの実施形態では、底部から分与する容器は、約１００ｍＬ〜約３０００ｍＬ、より具体的には約２５０ｍＬ〜約１５００ｍＬの容量、すなわちその中に解放可能に収容できるゲル洗剤組成物の量を有する。１つの実施形態では、底部から分与する容器は容易な取扱に好適であり、例えば、底部から分与する容器はハンドル若しくは底部から分与する容器を片手で容易に持ち上げること若しくは持ち運ぶことができるようにするような寸法の部品を有していてもよい。
【００１４】
他の実施形態では、底部から分与する容器は、ゲル洗剤組成物を注ぐのに好適な手段及び底部から分与する容器を再度閉止する手段を有する。注ぐ手段はいかなる大きさ若しくは形状であっても良いが、ゲル洗剤組成物を都合よく投与するのに十分な幅であることが好ましい。所望による閉止手段は、いかなる形状若しくは大きさであってもよいが、底部から分与する容器を閉止するために、通常はねじ込む、カチッとはめる、ないしは別の方法で容器に取り付けられる。所望による閉止手段は、底部から分与する容器から取り外すことができるキャップであってもよい。或いは、所望によるキャップは、底部から分与する容器が開放しているか閉止しているかにかかわらず、底部から分与する容器に取り付けられたままであり得る。所望による閉止手段は容器に組み込まれていてもよい。
【００１５】
１つの実施形態では、底部から分与する容器は底部から分与するボトルである。
【００１６】
底部から分与する容器は、熱成形、吹込み成形、射出成形、若しくは射出延伸吹込み成形（ＩＳＢＮ）などのような、いかなる好適なプロセスにより形成されてもよい。
【００１７】
１つの実施形態では、底部から分与する容器は、１つ以上の層からなる１つ以上の壁面を含む。前記層は、所望により、例えば、約０．１ｍｍ未満の厚さのように、大変薄くても良く、厚さが約１０ｍｍを超えるまでの範囲であってもよい。
【００１８】
他の実施形態では、底部から分与する容器は、底部から分与する容器の相対する側面に前部と後部を備えることも可能である。
【００１９】
好適な底部から分与する容器の具体的な実施例は、ロウリー（Lowry）の２００４年３月１６日に交付された米国特許第６，７０５，４９２号、サイフェルト（Seifert）らの１９９０年１１月１３日に交付された米国特許第４，９６９，５８１号、グロス（Gross）らの２００２年１２月１７日に交付された米国特許第６，４９４，３４６号、フィッテン（Fitten）らの１９９７年５月６日に交付された米国特許第５，６２６，２６２号、フィッテン（Fitten）らの１９９７年８月１２日に交付された米国特許第５，６５５，６８７号、ドロビッシュ（Drobish）らの１９８８年３月１日に交付された米国特許第４，７２８，００６号、アレント（Arent）らの２００１年８月７日に交付された米国特許第６，２６９，８３７号、ドーンスブッシュ（Dornsbusch）らの１９８８年６月７日に交付された米国特許第４，７４９，１０８号、ボルペンハイム（Volpenheim）らの２００４年１月１３日に交付された米国特許第６，６７５，８４５号、カナダ・インク（Canada Inc）の名称で１９９２年１２月１０日に発行された「倒置されたディスペンサー」と名付けられた国際特許ＷＯ９２／２１５６９号、ユニリーバ（Unilever）の名称で２００１年１月１８日に発行された「容器」と名付けられた国際特許ＷＯ０１／０４００６号、プロクター・アンド・ギャンブル社（The Procter and Gamble Company）の名称で１９８１年１月７日に発行された欧州特許ＥＰ２１，５４５号、及びユニリーバ（Unilever）の名称で１９９７年１２月１０日に発行された欧州特許ＥＰ８１１，５５９号などに見られる。底部から分与する容器の具体的な実例は、アン・デウリー（Ann De Wree）らの名前で２００６年５月５日に出願された「布地処理分配包装容器」と名付けられた米国暫定特許同時継続出願第６０／７９７，９７５、代理人整理番号１０４０３Ｐにも見られる。
【００２０】
容器の上にラベルを有するのが望ましい場合がある。本発明の１つの実施形態では、底部から分与する容器は１つ以上のポリマーのラベルを有する。他の実施例では、ポリマーのラベルは、不透明、透明、若しくは半透明であり、かつ表示を含んでいてもよい。「ラベル」と言う用語は本明細書では最も広い意味で、具体的な実施例を挙げると、底部から分与する容器上へ直接の表示の取り付け（例えば印刷若しくは鋳込み）、それに取り付けられる若しくは結合された基材上への表示の印刷、底部から分与する容器の外表面、又は底部から分与する容器を取り囲む箱のような包装を含み、所望により表現され得る１つ以上の表示を含んでもよい、実現可能な媒体物を含むために使用される。
【００２１】
本願においては、「表示」は、香り、ブランド設定、包装、特性、音、単語、フレーズ、文字、特徴、ブランド名、会社名、会社のロゴ若しくはシンボル、説明、ロゴ、アイコン、デザイン、デザイナーの名前、シンボル、モチーフ、記号、図、印、信号、色、質感、形状、証拠、広告、及びこれらの組合せを示す。
【００２２】
１つの実施形態においては、表示は単語、フレーズ、ブランド名、会社名、説明、香料の名称、デザイナーの名前、広告、及びそれらの組合せから選ばれている。表示は１つ以上の言語であってもよい。
【００２３】
他の実施形態では、１つ以上の表示が、底部から分与する容器の上に直接印刷されていてもよい。他の実施形態では、１つ以上の表示が、容器の上にエンボスされていてもよい。
【００２４】
底部から分与する容器、変形可能な容器、及び／又は分与キャップの種々の異なる、所望による実施形態は、図１〜図９を参照してさらに説明され図示されるであろう。
【００２５】
図１も、変形可能な容器１１０及びこれに取り外し可能に取り付けられた分与キャップ１２０からなる底部から分与する容器１００の具体的な実例の１つである。変形可能な容器１１０は、開口１４０を持つ底末端部１３０を有する（図２）。分与キャップ１２０は変形可能な容器１１０の底末端部１３０に、開口１４０をカバーして取り外し可能に取り付けられる。分与キャップ１２０が表面１５０上に直立位置で置かれていることも示されている。
【００２６】
図１は、この容器と関連した表示１６０及び１６５を有する、底部から分与する容器１００の具体的な実例の１つである。同じ或いは異なる表示１６０及び１６５は、変形可能な容器１１０及び分与キャップ１２０と関連する。この実施形態において、これと関連するこの表示１６０及び１６５は、変形可能な容器１１０及び分与キャップ１２０に接着剤でしっかりと取り付けられている、２つのラベルである。
【００２７】
図１の変形可能な容器１１０はさらに、底末端部１３０より遠位の、頂末端部を１７０有する。図１に示すように、ここでは変形可能な容器１１０に関して逆転している変形可能な容器１１０は、頂末端部１７０を表面１５０に接触して、表面１５０上に直立位置で置くこともできる。
【００２８】
前述したように、変形可能な容器１００及び／又は分与キャップ１２０のような、底部から分与する容器１００の任意の部分も透明若しくは半透明とすることが可能である。
【００２９】
図２は、１つの実施可能な実施形態の、図１の底部から分与する容器１００の図１の線２に沿った断面図である。この断面図はゲル洗剤組成物１８０及び弁１７５を通って、ゲル洗剤組成物１８０が分与される、所望による弁１７５を示す。さらに変形可能な容器１１０の壁面１９０を示す。
【００３０】
図３は、変形可能な容器３１０、及びこれに取り外し可能に取り付けられた分与キャップ３５０からなる、底部から分与する容器３００の他の代替例の１つである。変形可能な容器３１０は、例えばスナップフィットなどにより、変形可能な容器３１０を分与開口３４０とともに直立位置に支持するための基部３３０を有する、分与端部３２０に取り付けられる。分与キャップ３５０は開口３４０及び弁４３０をカバーする（図５）。分与キャップ３５０は変形可能な容器３１０を直立位置に支持する。分与開口３４０の全体を覆い、かつ弁４３０及び開口３４０をカバーして、分与キャップ３５０は変形可能な容器３１０に取り外し可能に取り付けられている。分与キャップ３５０は、面３６０と、分与キャップ３５０の内部３８０を定義するためにその面から延びる、円筒形状の壁面３７０、とを有するカップ形状の部品４１０から形成されている。分与キャップ３５０の面３６０が、表面３９０上に直立位置で置かれていることも示されている。分与キャップ３５０は、ゲル洗剤組成物４５０（図５）を受け入れ、かつ分与する、より具体的には、ゲル洗剤組成物を洗濯機の中に分与する性能を有する。
【００３１】
底部から分与する容器３００は、これに関連した表示４００及び４０５を有する。同じ或いは異なる表示４００及び４０５は、変形可能な容器３１０及び分与キャップ３０５と関連する。この実施形態において、これと関連する表示４００及び４０５は、変形可能な容器３１０及び分与キャップ３５０に接着剤でしっかりと取り付けられている、２つのラベルである。
【００３２】
図４は、変形可能な容器３１０に取り外し可能に取り付けた分与キャップ３５０を示す、図３の底部から分与する容器の分解組立図である。
【００３３】
図５は、１つの実施可能な実施形態の、図４の底部から分与する容器４００の図４の線５に沿った断面図である。この断面図は、ゲル洗剤組成物４５０を貯蔵するための内部空洞４４０、及び、これを通ってゲル洗剤組成物４５０が分与される所望による弁４３０を示す。さらに変形可能な容器３１０の壁面４２０を示す。弁４３０はその閉止位置の状態を示し、ゲル洗剤組成物４５０が分与開口３４０を通って流れ出ることは防がれている。
【００３４】
図６は、弁４３０の１つの実施可能な実施形態の、図５の線６に沿った断面図である。この弁４３０は、これを通るための小さい十文字状のスリット４６０を有する。
【００３５】
図７は、底部から分与する容器３００の１つの実施可能な実施形態の図４の線５に沿った断面図である。弁４３０はその開状態を示し、ゲル洗剤組成物４５０は、内部空洞４４０から流れて、分与開口３４０を通ることができるようになっている。
【００３６】
１つの具体的な所望による実施形態における弁４３０は、圧力が通常の重力の基でのゲル洗剤組成物４５０のものより高い圧力にさらされるときにのみ、ゲル洗剤組成物４５０が分与開口４３０を通り抜けることができるようになっている。
【００３７】
或いは、他の具体的な所望による実施形態の弁４３０は２つのモードを持つ弁で、２つのモードを持つ弁は、図５の図示で見ることができるように、変形可能な容器３１０が意図しない外力にさらされたときにゲル洗剤組成物４５０を漏らすことが無い性能を持つ第１の操作モード、及び変形可能な容器３１０が使用者により加えられた意図的な外力にさらされたときに、図７の図示で見ることができるように、ゲル洗剤組成物４５０を分与する性能を持つ第２の操作モードを有する。
【００３８】
図８は、図３の底部から分与する容器３００を人間が手５００で握り、そしてゲル洗剤組成物４５０を分与する具体的な実施例である。（人間の手又はその部分は本発明の範囲の一部ではない）。
【００３９】
図９は他の可能な具体的な実例である。図９において、底部から分与する容器７００は、球形状の変形可能な容器６１０及び長方形状の分与キャップ６２０を備えてなる。本発明にかかる底部から分与する容器、変形可能な容器、及び分与キャップはいかなる形状でもよい。
【００４０】
２）ゲル洗剤組成物−本明細書で記述されるゲル洗剤組成物は、ゲルの形態をとる、軽質液体洗剤（「ＬＤＬ」とも呼ばれる食器手洗い用の洗剤）、軽質洗剤（「ＬＤＤ」、絹、羊毛等のような繊細な布地に使用されるように作られた洗濯用洗剤）、強力な液体洗濯洗剤（「ＨＤＬ」）等から選択されるいかなる洗浄用消費者製品であってもよい。
【００４１】
本明細書で使用される場合、「ゲル」は、具体的には、流動粘度が約１００〜約５，０００ｍＰａｓ（ミリパスカル秒）の範囲であり、より具体的には約３，０００ｍＰａｓ未満であり、さらにより具体的には約１，５００ｍＰａｓ未満であり、かつ具体的に、約１０Ｐａより高い、より具体的には約１５Ｐａより高い、さらにより具体的には約２０Ｐａより高い、しかし具体的には約１００を超えない臨界剪断応力もまた有するずり減粘、層状ゲルを指す。当該技術分野において、「ゲル」の概念は多くの場合十分定義されていない。最も一般的で、しかしながら大まかな定義は、ゲルは濃い流体であるというものである。濃厚な液体は、蜂蜜やシロップのように、流れの条件の変化とともに粘度が変化しない、ニュートン流体であってもよい。この種類の液体ゲルは、分与が非常に困難であり、厄介である。異なる種類の液体ゲルはずり減粘であり、すなわち、低剪断条件（例えば、静止時）では濃厚であり、高流量では希薄である。ずり減粘ゲルのレオロジーは、下記のシスコモデル（Sisko model）で特徴付けられ得る。
η＝ａ＋ｂ×｛ｄｏｔ  ｏｖｅｒ（γ）｝ｎ−１
式中ηは粘度（ｍＰａｓ）、｛ｄｏｔ  ｏｖｅｒ（γ）｝は剪断速度（Ｌ／ｓｅｃ）、ａ及びｂは定数、そしてｎはシスコ比指数である。
【００４２】
ゲル洗剤組成物は、いかなる色、若しくは陰影であってもよい。これらには１つ以上の懸濁相、粒子、若しくはこれらの組合せを含んでもよい。本発明のゲル洗剤組成物は、固体粒子を懸濁させておく能力を持つ。この固体は、溶液中の電解質と同じであっても若しくは異なるものであってもよい溶解されない電解質でもよく、後者は飽和した電解質である。これらは実質的に、水に単独では溶解しない材料であってもよい。こうした実質的に不溶解性の材料の実例としては、アルミノケイ酸塩ビルダー、及びカルサイト研磨剤が挙げられる。
【００４３】
１つの実施形態では、ゲル洗剤組成物は不透明である。他の実施形態では、ゲル洗剤組成物は透明若しくは半透明である。
【００４４】
本明細書で使用するとき、組成物及び／又は方法が、特定の含有物を「実質的に含まない」場合、特定の含有物のいずれも目的を持って組成物に特に添加していないことを意味するが、微量の特定の含有物が不純物として他の添加物に含まれてもよいことは、当業者により理解される。１つの実施形態では、前記組成物は、組成物の重量比で約０．１％未満の前記特定の含有物を含む。
【００４５】
本明細書で記述されている底部から分与する容器内での使用に好適なゲル洗剤組成物は以下に挙げられる。
【００４６】
界面活性剤−１つの実施形態では、本発明にかかるゲル洗剤組成物は１つ以上の界面活性剤を含んでいてもよい。この界面活性剤はアニオン性、非イオン性、カチオン性、両性、双曲性、及びそれらの混合であってもよい。１つの実施形態では、本発明で使用する界面活性剤は、アニオン性及び非イオン性界面活性剤の混合物であるが、当然のことながらいかなる界面活性剤も単独若しくはいかなる他の界面活性剤と組み合わせて使用されてもよい。ゲル洗剤組成物の中に含まれる場合、界面活性剤を、ゲル洗剤組成物の重量比で約１％〜約７５％、より具体的には約５％〜約７０％含んでいてもよい。
【００４７】
本願で有用な界面活性剤の具体的な実例は、ノリス（Norris）による１９７２年５月２３日に交付された米国特許第３，６６４，９６１号、ラフリン（Laughlin）らによる１９７５年１２月３０日に交付された米国特許第３，９１９，６７８号、コックレル（Cockrell）らによる１９８０年９月１６日に交付された米国特許第４，２２２，９０５号、マーフィーによる１９８０年１２月１６日に交付された米国特許第４，２３９，６５９号、バラット（Barrat）らによる１９８１年８月２５日に交付された米国特許第４，２８５，８４１号、レイキム（Leikhim）らによる１９８１年８月１８日に交付された米国特許第４，２８４，５３２号、米国特許第４，２８５，８４１号、米国特許第３，９１９，６７８号及び米国特許第２，２２０，０９９号及び２，４７７，３８３号に記述されている。界面活性剤は一般的によく知られており、カーク・オトマール（Kirk Othmer）の化学工業化学百科事典（Encyclopedia of Chemical Technology）第３版、第２２巻、３６０ページ〜３７９ページ、「界面活性剤及び洗浄システム」、マカッチャン（McCutcheon）の洗剤と乳化剤（Detergents & Emulsifiers）、Ｍ．Ｃ．パブリッシング・カンパニー（MC Publishing Co）、（北米版、１９９７年）、シュワルツ（Schwartz）ら、界面活性剤、その化学と技術、ニューヨーク・インターサイエンス・パブリッシャーズ（Interscience Publishers）、１９４９年にさらに詳細に説明されており、さらに「界面活性剤と洗剤」（第Ｉ巻及び第ＩＩ巻、シュワルツ（Schwartz）、ペリー（Perry）、及びバーチ（Berch）による）にさらに情報と実例が記述されている。
【００４８】
好適な非イオン性界面活性剤の具体的な実例には以下のものが含まれる：アルコール・エトキシレート類（例えば、シェル化学社（Shell Chemical Co）製、ネオドル２５−９）、アルキルフェノール・エトキシレート類（例えば、ユニオンカーバイド社（Union Carbide Corp）製、タージトル（Tergitol）ＮＰ−９）、アルキルポリグルコシド類（例えば、ヘンケル社（Henkel Corp）製、グルコポン（Glucapon）６００ＣＳ）、ポリオキシエチレナート化ポリオキシプロピレン・グリコール類（例えば、バスフ社（BASF Corp）製、プルロニック（Pluronic）Ｌ−６５）、ソルビトール・エステル類（例えばヘンケル社（Henkel Corp）製、エムソーブ（エムソーブ）２５１５）、ポリオキシエチレン化ソルビトール・エステル類（例えば、ヘンケル社（Henkel Corp）製、エムソーブ（Emsorb）６９００）、アルカノールアミド類（例えば、ローヌプーラン社（Rhone-Poulenc Co）製、アルカミド（Alkamide）ＤＣ２１２／ＳＥ）、及びＮ−アルキピロリドン類（例えば、ＩＳＰテクノロジーズ社（ISP Technologies Inc）製、サーファドン（Surfadone）ＬＰ−１００）及びこれらの組合せ。付加的である具体的な好適な非イオン性界面活性剤は米国特許第４，３１６，８１２号及び米国特許第３，６３０，９２９号に開示されている。
【００４９】
非イオン界面活性剤がゲル洗剤組成物に含まれる場合は、ゲル洗剤組成物の重量比で約０．０１％〜約７０％、より具体的には約１％〜約５０％、さらにより具体的には約５％〜約４０％含まれていてもよい。
【００５０】
好適なアニオン性界面活性剤の具体的な実例には以下のものが含まれる：直鎖アルキルベンゼンスルホネート類（例えば、ビスタ化学社（Vista Chemical Co）より市販されている、ビスタ（Vista）Ｃ−５００）、分岐状直鎖アルキルベンゼンスルホネート類（例えば、ＭＬＡＳ）、アルキルスルホネート類（例えば、ステパン社（Stepan Co）より市販されている、ポリステップ（Polystep）Ｂ−５）、分岐状アルキルスルホネート類、ポリオキシエチレン化アルキル硫酸塩類（例えば、ステパン社（Stepan Co）より市販されている、スタンダポール（Standapol）ＥＳ−３）、アルファオレフィンスルホネート類（例えば、ウィットコ社（Witco Corp）より市販されている、ウィットコネート（Witconate）ＡＯＳ）、アルファスルホメチルエステル類（ステパン社（Stepan Co）より市販されている、アルファ−ステップ（Alpha-Step）ＭＣｐ−４８）、及びイセチオネート類（例えば、ＰＰＧ工業社（PPG Industries Inc）より市販されている、ジョルダポン（Jordapon）ＣＩ）、並びにこれらの組合せ。
【００５１】
アニオン界面活性剤がゲル洗剤組成物に含まれる場合は、ゲル洗剤組成物の重量比で約０．０１％〜約７０％、より具体的には約１％〜約５０％、さらにより具体的には約５％〜約４０％含まれていてもよい。
【００５２】
本発明の界面活性剤として使用できる具体的なカチオン界面活性剤は、米国特許第４，４９７，７１８号に詳細に記述されている。特定のカチオン界面活性剤には、１つ若しくは２つのヒドロキシエチル部分を１つ若しくは２つのメチル部分に替えた、Ｃ８〜Ｃ１８アルキルジメチルアンモニウムハロゲン化物類及び類似体が含まれる。
【００５３】
カチオン性界面活性剤がゲル洗剤組成物に含まれる場合は、ゲル洗剤組成物の重量比で約０．０１％〜約７０％、より具体的には約１％〜約５０％、さらにより具体的には約５％〜約４０％含まれていてもよい。
【００５４】
両性界面活性剤の実例は、ナトリウム３（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、二ナトリウム３−（Ｎ−カルボキシメチルドデシルアミノ）プロパン１―スルホネート、二ナトリウムオクタデシル−イミノジアセテート、ナトリウム１−カルボキシメチル−２−ウンデシルイミダゾール、及びナトリウムＮ，Ｎ−ｂｉｓ（２−ヒドロキシエチル）−２−スルファト−３−ドデコキシプロピルアミンである。
【００５５】
両性界面活性剤がゲル洗剤組成物に含まれる場合は、ゲル洗剤組成物の重量比で約０．０１％〜約７０％、より具体的には約１％〜約５０％、さらにより具体的には約５％〜約４０％含まれていてもよい。
【００５６】
本願で使用してもよい双極性界面活性剤の実例は、米国特許第４，０６２，６４７号に別途説明される。
【００５７】
双極性界面活性剤がゲル洗剤組成物に含まれる場合は、ゲル洗剤組成物の重量比で約０．０１％〜約７０％、より具体的には約１％〜約５０％、さらにより具体的には約５％〜約４０％含まれていてもよい。
【００５８】
中和されていない脂肪酸−ラウリル酸、ミリスチン酸、パルミチン酸、ステアリン酸、オレイン酸、リノール酸、リノレン酸、及びこれらの混合物を含むがこれらに限らず、より具体的に脂肪酸から選択すれば、室温で硬くない形状をとる、いかなる脂肪酸も本明細書での使用のためには好適である。通常複雑な混合物である、自然に得ることができる脂肪酸もまた好適である（タロー、ココナツ、及びパーム核脂肪酸などのようなもの）。室温で液体であり、かつそのＣ１８鎖がラメラ層を誘導するのを補助するので、好ましい脂肪酸はオレイン酸である。さらに、これはビルダーであり、かつ中和した後、良い洗剤を提供することができる。
【００５９】
中和されていない脂肪酸の量は、採用する界面活性剤の量により、さらに分与したときにゲル洗剤組成物がもり上がるかどうかは、本明細書に記述されたスナップ指標値及び／又はゲル化指標値を有する。１つの実施形態では、中和されていない脂肪酸の量は、前記組成物の量の重量比で約０．１％〜約５％の範囲であり、より具体的には約０．２％〜約４％の範囲であり、さらにより具体的には約０．５％〜約３％の範囲である。
【００６０】
誤解を避けるために、本発明で組成物中の中和されていない脂肪酸の値を計算するために以下のｐＫａ値を採用することができる。
【表１】
2009536249.tif 000004
＊ラングミュア（Langmuir）第１６巻１７２〜１７７、２０００年（Ｊ．Ｒ．カニッキー（J R Kanicky）、Ａ．Ｆ．ポニアトウスキー（A F Poniatowski）、Ｎ．Ｒ．メータ（N R Mehta）、及びＤ．Ｏ．シャー（D O Shah））より引用
＊＊ロイヤル・ソサエティ・ロンドン論文集（Proc R Soc London）、Ａ１３３、１４０、１９３１（Ｒ．Ａ．ペータース（R A Peters））
【００６１】
当然のことながら、産業用のココ脂肪酸のような市販の脂肪酸は（複数の）脂肪酸の混合物である。理論に制限されるのは望まないが、このような脂肪酸混合物のアルキル鎖長の違いは、脂肪酸分子間のファン・デル・ワールスの相互作用を弱めると考えられ、結果として、純粋な脂肪酸と比較してｐＫａ値の減少をもたらす。
【００６２】
もり上がる洗剤−１つの実施例では、ゲル洗剤組成物は分与したときにもり上がり、より具体的には前記界面活性剤に対する前記中和されていない脂肪酸の重量比が、等式（Ｉ）で定義されるもり上がり指標値Ｐ以上、かつ１未満であり、
Ｐ＝０．３５−（０．０１×Ａ）          （Ｉ）
式中Ａが界面活性剤の総濃度である、前記ゲル組成物を貯蔵及び分与するための商品に関する。総界面活性剤Ａは中和されていないアニオン性界面活性剤前駆体は含まないが、完全に中和された脂肪酸石鹸界面活性剤は含む。重量比が１より大きい場合、前記界面活性剤系はすべての中和されていない脂肪酸を可溶化することができない場合があり、結果として層分離となる。重量比がもり上がり指標値Ｐよりも小さい場合、望ましい盛り上がりを伴うゲルが形成されない場合がある。
【００６３】
他の実施形態では、分与したときにもり上がる、ゲル洗剤組成物は、
（ａ）組成物の重量比で、約１０％〜約３５％、より具体的には約１０％〜約２５％、さらにより具体的には約１０％〜約２０％の界面活性剤と、
（ｂ）組成物の重量比で約０．１％〜約５％の中和されていない脂肪酸と、
（ｃ）約５０％〜約８５％の水とを含み、
（ｄ）石鹸、洗浄アルキルベンゼンスルホン酸、一級アルキルスルホン酸、及び二級アルキルスルホン酸から選択された総アニオン界面活性剤が、界面活性剤総使用濃度の約５０％より多く、より具体的には６０％より多く、さらにより具体的には７０％より多い。
【００６４】
この実施形態のゲル洗剤組成物は、洗濯前処理品及び洗剤を１つの製品とする利点を与える。
【００６５】
１つの実施形態では、界面活性剤は、直鎖アルキルアリールスルホネート（ＬＳＡ）と、アルコキシレル化（例えばエトキシレート化）スルホネート（ＬＥＳ）と、アルコキシル化非イオン性との重量比で２：１：１の混合物からなる。他の実施形態では、界面活性剤は、比イオン性界面活性剤に対するアニオン性界面活性剤の重量比が１：１である混合物からなる。
【００６６】
滴らないゲル洗剤−１つの実施例では、ゲル洗剤組成物は滴らないゲル洗剤組成物であり、より具体的には界面活性剤に対する前記中和されていない脂肪酸の重量比が、等式（ＩＩ）で定義されるスナップ指標値Ｓ以上、かつ１未満であり、
Ｓ＝０．３−（０．００８５×Ａ）          （ＩＩ）
式中Ａは、本明細書で定義されている通りである。重量比が１より大きい場合、界面活性剤系はすべての中和されていない脂肪酸を可溶化することができない場合があり、結果として層分離となる。重量比がスナップ指標値Ｓより小さい場合、ゲルは、急速に元の状態に戻る特性をもたない。
【００６７】
滴らないゲル洗剤は、急速に元の状態に戻る特性を有するもの、すなわち、分与が終了したときに、ばねが伸長から解放されたように、急速に元の状態に戻るものである。１つの実施形態では、この特性は（貯蔵）弾性率Ｇ’により特徴付けることができ、より具体的には１０Ｐａより大きいＧ’を有する液体若しくはゲルが急速に元の状態に戻る（滴らない）特性を示す。より高いＧ’は、液体若しくはゲルが仮想上の組込みのフック定数が高いバネを有することを意味する。従って、注ぐ工程で仮想のばねは延伸され、注ぐ作業が停止すると元の状態に引き戻される。
【００６８】
他の実施形態では、分与の終了時に急速に元の状態に戻る、従って底部から分与する容器からの滴りをなくす若しくは最小とするゲル洗剤組成物は、
（ａ）組成物の重量比で、約８％〜約３５％、より具体的には約１０％〜約２５％、さらにより具体的には約１０％〜約２０％の界面活性剤と、
（ｂ）組成物の重量比で約０．１％〜約５％の中和されていない脂肪酸と、
（ｃ）約４０％〜約９０％の水とを含み、
（ｄ）界面活性剤に対する中和されていない脂肪酸の重量比％が、等式（ＩＩ）で定義されるスナップ指標値Ｓ以上、かつ約１未満であり、
Ｓ＝０．３−（０．００８５×Ａ）
式中Ａは、本明細書で定義されている通りである。
【００６９】
１つの実施形態では、ゲル洗剤組成物は向水性物質を含み、より具体的にはプロピレングリコール及び／又はグリセリンから選択される。
【００７０】
ゲル化指標値−１つの実施形態では、ゲル洗剤組成物は、界面活性剤に対する中和されていない脂肪酸の重量比が、等式（ＩＩＩ）で定義されるゲル化指標値ＧＩＶ以上、かつ約１未満であり、
【数２】
2009536249.tif 000005
式中Ａは、本明細書で定義されている通りである。重量比が１より大きい場合、前記界面活性剤系はすべての中和されていない脂肪酸を可溶化することができない場合があり、結果として層分離となる。比率がゲル化指標値ＧＩＶより低い場合、ゲルは形成されない。
【００７１】
他の実施形態では、ゲル洗剤組成物は、ゲル洗濯用洗剤及び／又は前処理用品組成物であり、かつ、
（ａ）組成物の重量比で約８％〜３５％、より具体的には約１０％から約２５％、さらにより具体的には約１０〜約２０％の、アニオン性界面活性剤、非イオン性界面活性剤、カチオン性界面活性剤、両性界面活性剤、及びこれらの混合物からなる群から選択される界面活性剤と、
（ｂ）組成物の重量比で約０．１％〜約５％の中和されていない脂肪酸と、
（ｃ）約５０％〜約９０％の水とを含み、
（ｄ）界面活性剤に対する中和されていない脂肪酸の重量比％が、等式（ＩＩＩ）で定義されるゲル化指標値ＧＩＶ以上、かつ約１未満であり、
【数３】
2009536249.tif 000006
式中Ａは本明細書で定義されている通りである。
【００７２】
シスコモデル（Sisko model）、ずり減粘、流動粘度、層状、ラメラゲル、貯蔵弾性率Ｇ’及びＧ”に関する追加の情報は、米国特許番号第６，８１５，４０９号、第６，８４９，５８７号、及び第６，７９４，３４８号に見出すことができる。
【００７３】
所望による含有成分−本明細書で記述されているいずれかのゲル洗剤組成物は、１つ以上の所望による含有成分を含んでいてもよい。
【００７４】
水−本発明にかかるゲル洗剤組成物は、所望により液体担体を含んでいてもまた良く、１つの実施形態ではこれは水である。一般的には、本願の組成物に含まれる場合、液体担体の量は比較的多く、しばしば洗浄組成物の残量をなすが、洗浄用組成物の重量比で約５％〜約８５％を含むことが可能である。１つの実施形態では、洗浄用組成物の重量比で約１％〜約５０％の、低い使用濃度の液体担体が使用されている。
【００７５】
最も価格的に効果的な種類の水性非界面活性液体担体は言うまでもなく水そのものである。１つの実施形態では前記水は蒸留水、脱イオン水、ろ過水、及びこれらの組合せから選択される。他の所望による実施形態では、その水は処理されていなくてもよい。
【００７６】
本願の液体担体は、本組成物として相安定剤及び／又は共溶媒として、低い使用濃度の材料を含んでいてもよい。この種類の物質としては、メタノール、エタノール、及び／又はプロパノールなどのＣ１〜Ｃ３低級アルカノール類が含まれる。モノエタノールアミン類、ジエタノールアミン類、及びトリエタノールアミン類のような低級Ｃ１〜Ｃ３アルカノールアミン類もまた、それ自体で又は低級アルカノール類との組合せで使用することができる。存在する場合は、相安定剤／共溶媒を所望により、本明細書の組成物の重量比で約０．１％〜約５．０％含むことができる。
【００７７】
美学−ゲル洗剤組成物及び底部から分与する容器は、いかなる望ましい外観若しくは美観を有してもよい。ゲル洗剤組成物及び底部から分与する容器は、不透明、透明若しくは半透明、真珠光沢液体のように、いかなる色若しくは外観であってもよい。１つの実施形態では、ゲル洗剤組成物は、空気若しくは気体の気泡、浮遊している液滴、単一若しくは複数の乳濁液滴、浮遊している粒子等、並びにこれらの組合せを含んでいてもよい。好適な寸法は、約０．１μ〜５ｍｍ、より具体的には約２０μ〜約１ｍｍを含む。これらの所望による浮遊している液体及び／又は粒子は、別個の実体、すなわち、異なる色、形状、質感等、及びこれらの組合せとして目視できてもよい。これらの浮遊している液体及び／又は粒子は、異なる色、質感、若しくはその他のゲル洗剤組成物のその他部分と、目視上、区別し得る特徴であってもよい。
【００７８】
加えて、ゲル洗剤組成物及び底部から分与する容器は、いかなる色若しくは色の組合せであってもよい。この「色」と言う用語は、可視スペクトルの全ての色、すなわち、赤、オレンジ、黄色、緑、青、ティール、茶色、紫、ライラック、シーグリーン、褐色、ネービー、スミレ色、ピンクなどを含むのみならず、ダークブルー、ライトブルー、ライトグリーンなど、これらの色の全ての陰影、色合い、色相などや、加えて黒、白、及び灰色、並びにこれらのすべての陰影、色合い、色相などを含むことが理解される。さらに、ゲル洗剤組成物及び底部から分与する容器は、加えて、例えば、変化する屈折表示の組合せ、真珠光沢、乳白光沢、屈折的、ホログラフ的効果、金属光沢、光沢仕上げ、マット仕上げ、及び同類のもの、並びにこれらの組合せなどの、追加的な外観上の処理もまた有してもよい。
【００７９】
他の実施形態では、ゲル洗剤組成物は２つ以上の視覚的に独特の領域を持っていてもよい。領域は各々それ自体、１つ以上の独特の物理的な相を含むことができる。本願で使用されるときには、「視覚的に独特」と言う用語は、視覚的に異なる領域を表示する、底部から分与する容器の中、若しくは分与された組成物を示す。これらの異なる領域は、ゲル洗剤組成物を肉眼で見える状態を保つ限り、独特の分離をしていても、部分的に混合していてもどちらでもよい。これらの視覚的に独特の領域の組合せは、任意の幅広い種々のパターンを作りだすために選択され得るが、例として、縞模様、大理石模様、直線状、中断された縞模様、市松模様、まだら、木目模様、クラスター、小さい斑点模様、幾何学的、ぶち、リボン状、螺旋、渦巻、配列、斑入り、脈模様、溝、畝模様、波模様、正弦波形状、スパイラル、ねじれ模様、曲線、円、稲妻、線模様、輪郭のある、異方性、レース模様、織り若しくは編み、かご編み、水玉模様、及びモザイクが挙げられる。このパターンは、任意の底部から分与する容器の寸法にわたり、縞模様であってもよく、また比較的均一かつ均等であってもよい。或いは、縞模様のパターンは均一でなくてもよく、すなわち波形、若しくは寸法において均一でなくてもよい。この縞模様のパターンは、任意の底部から分与する容器の全寸法にわたって広げられる必要は無い。
【００８０】
本明細書において使用されるとき、「縞模様」と言う用語は、ゲル洗剤組成物に含まれる各相が、貯蔵されている底部から分与する容器の内側で分離されているが独特の物理的空間を占め、しかしながらお互いに直接接触していることを意味する。（すなわち、それらは障壁によって分けられているのではなく、それらは、極端な度合いまで乳化され若しくは混合されていない）。この縞模様は、底部から分与する容器の寸法にわたり、また比較的均一かつ均等であってもよい。或いは、縞模様は均一でなくてもよく、すなわち波形、若しくは寸法において均一でなくてもよい。この縞模様は、底部から分与する容器の全寸法にわたって広げられる必要は無い。この「縞模様」は、これらの形状の濃度が視覚的に独特の帯域若しくは領域を形成する、種々の幾何学的パターン、種々の色、及び、又はギラギラしたもの若しくは真珠光沢からなっていてもよい。
【００８１】
本願で使用されるときには、「大理石模様」と言う用語は、大理石に類似した脈模様及び／又はまだらの外観を有する縞模様のデザインをさす。
【００８２】
この組成物の物理的な特徴、すなわち、色、粘度、レオロジー、質感、密度等、数多くの変形が可能であるが、色の変化は広く求められる。具体的なデザイン若しくはパターン（すなわち、縞模様若しくは大理石模様の幅、長さ等）は、ゲル洗剤組成物に適用された場合、例えば、レオロジー的な相の特徴、分与手段の直径、充填時の容器の回転の有無、速度の割合、及び一定の度合い、並びにこれの組合せのような数多くの要素の変化により異なる可能性がある。
【００８３】
補助成分−このゲル洗剤組成物は、機能的な及び／又は美的な特性の追加的な望ましい特徴を得るために、１つ以上の補助剤成分を含んでいてもよい。
【００８４】
本明細書に記述されている組成物及び方法は、具体的には、ゲル洗剤組成物の重量比で約０．０００１％〜約９５％、より具体的には約０．００１％〜約７０％の補助剤成分を含んでいてもよい。
【００８５】
本発明の１つの実施形態では、補助剤成分は、ビルダー、増白剤、移染防止剤、キレート剤、ポリアクリレートポリマー、分散剤、着色染料、色調染料、香料、加工補助剤、漂白補助剤、漂白活性剤、漂白前駆体、漂白触媒、溶媒、共溶媒、向水性物質、液体担体、相安定剤、汚れ放出ポリマー、酵素安定剤、酵素、汚れ乳濁剤、再堆積防止剤、解膠剤、殺菌剤、殺真菌剤、紫外線吸収剤、黄変防止剤、酸化防止剤、光学的増白剤、石鹸泡抑止剤、不透明化剤、石鹸泡強化剤、腐食防止剤、ラジカルスカベンジャー、塩素スカベンジャー、布地柔軟仕上げ添加物、他の布地ケア有益剤、ｐＨ調整剤、蛍光増白剤、スメクタイト粘土、構造剤、防腐剤、増粘剤、着色剤、布地柔軟仕上げ添加物、レオロジー改良剤、充填剤、殺菌剤、及びこれらの組合せから選択してもよい。さらに、好適な補助剤成分の実例及び使用濃度は、バスカービル・ジュニア（Baskerville, Jr）らによる１９７６年２月３日に交付された米国特許第３，９３６，５３７号、バラット（Barrat）らによる１９８１年８月２５日に交付された米国特許第４，２８５，８４１号、マーメルスタイン（Mermelstein）らによる１９８９年７月４日に交付された米国特許第４，８４４，８２４号、ブッシュ（Bush）らによる、米国特許第４，６６３，０７１号、サドロウスキー（Sadlowski）らによる１９９０年３月２０日に交付された米国特許第４，９０９，９５３号、バートレッタ（Bartoletta）らによる１９７６年１月２０日に交付された米国特許第３，９３３，６７２号、ゴールト（Gault）らによる１９７９年１月２３日に交付された米国特許第４，１３６，０４５号、米国特許第２，３７９，９４２号、米国特許第３，３０８，０６７号、モンタギュー（Montague）らによる米国特許第５，１４７，５７６号、英国特許第１，４７０，２５０号、マリオット（Marriott）による英国特許第４０１，４１３号、マリオット（Marriott）及びグアム（Guam）による英国特許第４６１，２２１号、英国特許第１，４２９，１４３号、及びタッカー（Tucker）らによる１９８８年８月９日に交付された米国特許第４，７６２，６４５号に記述されている。
【００８６】
一部の可能性がある、補助剤成分の非限定的な実例を以下に示す。
【００８７】
好適なキレート剤の実施例には、Ｓ，Ｓ−エチレンジアミン二コハク酸（ＥＤＤＳ）、タイロン（Tiron）（登録商標）（酸若しくは水に溶解できる塩として、カテコール−２，５−ジスルホン酸塩として知られている）、エチレンジアミン四酢酸（ＥＤＴＡ）、ジエチレントリアミン五酢酸（ＤＴＰＡ）、１−ヒドロキシエチリジン１，１ジホスホン酸（ＨＥＤＰ）、ジエチレントリアミン−ペンタ−メチレンホスホン酸（ＤＴＰＭＰ）、ジコリン酸及び塩、及び／又はこれらの酸及びこれらの混合物が含まれる。さらに、好適なキレート剤の実例及び使用濃度は、米国特許第３，８１２，０４４号、同第４，７０４，２３３号、同第５，２９２，４４６号、同第５，４４５，７４７号、同第５，５３１，９１５号、同第５，５４５，３５２号、同第５，５７６，２８２号、同第５，６４１，７３９号、同第５，７０３，０３１号、同第５，７０５，４６４号、同第５，７１０，１１５号、同第５，７１０，１１５号、同第５，７１２，２４２号、同第５，７２１，２０５号、同第５，７２８，６７１号、同第５，７４７，４４０号、同第５，７８０，４１９号、同第５，８７９，４０９号、同第５，９２９，０１０号、同第５，９２９，０１８号、同第５，９５８，８６６号、同第５，９６５，５１４号、同第５，９７２，０３８号、同第６，１７２，０２１号、及び同第６，５０３，８７６号に記述されている。
【００８８】
使用することができる、好適なビルダーの好適な実例には、水溶性アルカリ金属リン酸塩類、ポリリン酸塩類、ホウ素酸塩類、ケイ酸塩類、さらに、炭酸塩類、水溶性アミノポリカルボキシレート類、フィチン酸の水溶性塩類、ポリカルボキシレート類、ゼオライト類、若しくはアルミノケイ酸塩類、及びこれらの組合せが含まれる。ナトリウム及びカリウム三リン酸塩類、ピロリン酸塩、オルトリン酸塩、ヘキサメタリン酸塩類、四ホウ酸塩類、ケイ酸塩類、及び炭酸塩類；メリト酸、クエン酸、及びカルボキシメチルオキシコハク酸の水溶性塩類、イタコン酸及びマレイン酸のポリマー類の塩類、酒石酸モノスクシネート、酒石酸ジスクシネート。
【００８９】
本発明で使用することができる酵素は、以下により詳細に記述されている。１つの実施形態で、存在する場合、所望による酵素は、プロテアーザ、クチナーゼ、ヘミセルラーゼ、ペルオキシダーゼ類、セルラーゼ類、キシラナーゼ類、リパーゼ類、ホスホエリパーゼ類、エステラーゼ類、クチナーゼ類、ペクチナーゼ類、ケラタナーゼ類、レダクターゼ類、オキシダーゼ類、フェノールオキシダーゼ類、レポキシゲナーゼ類、リグニナーゼ類、プルラナーゼ、タンナーゼ類、ペントサナーゼ類、メラナーゼ類、β−グルカナーゼ類、アラビノシダーゼ類、ヒアルロニダーゼ、コンドロイチナーゼ、ラクターゼ、アミラーゼ、及びこれらの組み合わせから選択される。
【００９０】
好適な市販の酵素の非限定的なリストには、以下のものが含まれる：アミラーゼ類（α及び／又はβ）については、国際特許第ＷＯ９４／０２５９７号及び国際特許第ＷＯ９６／２３８７３号に記述されている。市販品の実例はピュラフェクト（Purafect）ＯｘＡｍ（登録商標）［ジェネンコア（Genencor）］、並びにターマミル（Termamyl）（登録商標）、ナタラーゼ（Natalase）（登録商標）、バン（Ban）（登録商標）、フンガミル（Fungamyl）（登録商標）及びデュラミル（Duramyl）（登録商標）［全てノボザイムズ（Novozymes）より］である。セルラーゼには、細菌性若しくは真菌性セルラーゼ、例えば、フミコーラ・インソレンス（Humicola insolens）、特にＤＳＭ１８００により生産されたもの、例えば５０Ｋｄａ、及び４３ｋＤ［ケアザイム（Carezyme）（登録商標）］が含まれる。好適なセルラーゼ類はまた、トリコデルマ・ロンギプラチアタム（Trichoderma longibrachiatum）からのＥＧＩＩＩセルラーゼである。好適なリパーゼ類には、シュードモナス（Pseudomonas）及びクロモバクター（Chromobacter）群によって生産されるものが含まれる。好ましいものは、例えばノボザイムズ（Novozymes）からのリポラーゼ（Lipolase）（登録商標）、リポラーゼ・ウルトラ（Lipolase Ultra）（登録商標）、リポプライム（Lipoprime）（登録商標）及びリペックス（Lipex）（登録商標）である。クチナーゼ［ＥＣ３．１．１．５０］及びエステラーゼも好適である。カルボヒドラーゼ類、例えばマンナナーゼ（米国特許第６０６０２９９号）、ペクテート・リアーゼ（国際特許第ＷＯ０９９／２７０８３号）、シクロマルトデキストリングルカノトランスフェラーゼ（国際特許第ＷＯ０９６／３３２６７号）、キシログルカナーゼ（国際特許第ＷＯ０９９／０２６６３号）最終的にエンハンサーとともに用いられる漂白酵素としては、例えばペルオキシダーゼ類、ラッカーゼ類、オキシゲナーゼ類（例えばカテコール１，２ジオキシゲナーゼ、リポキシゲナーゼ、（国際特許ＷＯ０９５／２６３９３）、（非ヘム）ハロペルオキシダーゼ類が挙げられる。好適なプロテアーゼには、ノボザイムズ（Novozymes）から入手可能なアルカラーゼ（Alcalase）（登録商標）、サビナーゼ（Savinase）（登録商標）、ケナーゼ（Kannase）（登録商標）、エバラーゼ（Everlase）（登録商標）、エスペラーゼ（Esperase）（登録商標）、ジェネンコア（Genencor）から入手可能なピュラフェクト（Purafect）（登録商標）、ピュラフェクスト（Purafext）Ｏｘ（登録商標）、プロペラーゼ（Properase）（登録商標）、ヘンケル（Henkel）から入手可能なＢＬＡＰ及びＢＬＡＰ変異型、ギスト・ブロケイズ（Gist-Brocades）のマクサターゼ（Maxatase）、及びマクサカル（Maxacal）、昭和電工のカズサセ（Kazusase）、及び花王から入手可能なプロテアーゼ類に類似のＫ−１６が含まれる。付加的な具体的なプロテーゼ類は、例えば、欧州特許第ＥＰ１３０７５６号、国際特許第ＷＯ９１／０６６３７号、国際特許第ＷＯ９５／１０５９１号、国際特許第ＷＯ９９／２０７２６号、米国特許第５０３０３７８号（プロテーゼＡ）、及び欧州特許第ＥＰ２５１４４６号（プロテーゼＢ）に記述されている。
【００９１】
ゲル洗剤組成物には向水性物質を加えてもよい。向水性物質は液晶の生成を減らし及び防ぎ、さらにより具体的には、向水性物質は所望によりゲル洗剤組成物に存在し得る。具体的な向水性物質には、プロピレングリコール、グリセリン、エタノール、尿素、ベンゼンスルホネートの塩、トルエンスルホネートの塩、キシレンスルホネートの塩、クメンスルホネートの塩、及びこれらの混合物が含まれる。具体的な塩には、ナトリウム、カリウム、アンモニウム、モノエタノールアミン、トリエタノールアミン、及びこれらの混合物が含まれる。１つの実施形態では、向水性物質はプロピレングリコール、グリセリン、キシレンスルホネート、エタノール、尿素、及びこれらの混合物を含む。１つの実施形態では、所望による向水性物質は、約０〜約１５％、より具体的には約０．１％〜８％、さらにより具体的には約０．２％〜６％、さらに一層より具体的には約０．５％〜約３％の範囲であってもよい。
【００９２】
１つの所望による補助剤成分は、アロンソン（Aronson）らの米国特許第５，０８９，１６３号及び第４，９５９，１７９号に説明されている、ｐＨジャンプシステム（例えば、ホウ素化合物／ポリオール）である。ｐＨジャンプシステムに含まれるものは、中和された飽和脂肪酸の利点を得ること及び界面活性剤の量を最小とするために、脂肪酸を中和するために、ｐＨが洗濯機の中で急上昇することを確実にする。
【００９３】
１つの実施形態では、ゲル洗剤組成物は、架橋したポリアクリレート、多糖類ガム（例えばキサンタン）、ジェラン、ペクチン、カラギーナン、ゼラチンなどの、従来の増粘剤は実質的に含まれない（すなわち１％未満、より具体的には０．５％未満、さらにより具体的には０．１％未満含む）。しかし、その他の具体的な代替実施形態では、これらの従来の増粘剤が使われてもよい。
【００９４】
上述の所望による含有成分のリストは、包括的なものであることを意図しておらず、その他の所望による含有成分は記載されていない場合があるが、それらは当該技術分野において周知のものであり、前記組成物含まれていてもよい。
【００９５】
透明若しくは半透明−本願において使用されるとき、「透明若しくは半透明」とは、可視スペクトル（約４１０〜８００ｎｍ）の少なくとも電磁放射線の１つの波長の約２５％より高い、より具体的には約３０％より高い、さらにより具体的には約４０％より高い、さらにより一層具体的には電磁スペクトルの可視部分の約５０％より高い透過性を示し、ここで透過性の％は以下のものと等しい。
【数４】
2009536249.tif 000007
【００９６】
或いは、ボトルの可視電磁スペクトル吸光性が約０．６未満の場合、容器、組成物などは透明若しくは半透明とみなされる。透明若しくは半透明の対象物の具体的な実例の１つは、透き通ったボトル若しくは透き通った組成物である。透明若しくは半透明の対象物の他の実例は、薄い青色又は赤色を有するが、まだ少なくとも可視スペクトルの中の電磁スペクトルの１つの波長の約２５％の透過性より高い透過性を有するような、色つきのボトル若しくは組成物である。
【００９７】
１つの実施形態では、ゲル洗剤組成物は、透明若しくは半透明で、約４１０ナノメートル〜約８００ナノメートルの波長において１ｃｍのキュベットを使用した光の少なくとも約５０％の透過性を有する。
【００９８】
追加的な、透明若しくは半透明及び不透明の容器及び／又は組成物などの具体的な情報と実例は、マーフィー（Murphy）らによる交付された米国特許第６，６３０，４３７号、ギブリン（Giblin）らによる交付された米国特許第６，７５６，３５０号、ギブリン（Giblin）らによる交付された米国特許第６，６３１，７８３号、ベー・リー（Bae-Lee）らによる交付された米国特許第６，１５９，９５８号に見出される。
【００９９】
本願において使用されるとき、「不透明」とは、可視スペクトルの中の電磁放射線の全波長の約２５％より低い透過性、より具体的には透過性が約２０％より低い、さらにより具体的には約１５％より低い、さらにより一層具体的には約１０％より低い、電磁スペクトルの可視部分の約５％未満の透過性を示す。或いは、ボトルの可視電磁スペクトル吸光度が約０．６より大きい場合、容器、組成物などは不透明とみなされる。
【０１００】
方法−吸光度及び透過性の測定−機器：ミルトン・ロイ・スペクトロニック６０１
手順：
１．分光光度計及び電源ボックスのスイッチを入れ、約３０分間暖機する。
２．波長を設定する。キーパッドに希望する波長を打ち込む（すなわち５９０、６４０など）。［第２の機能］キーを押す。「λへ進む」［はい］キーを押す。これで機械は選択された波長を読む準備ができた。
３．機器のゼロを合わせる。［第２の機能］キーを押す。「ゼロＡ」［％Ｔ／ＡＩＣ］を押す。これで機器は「ＸＸＸ  ＮＭ  ０．０００  Ａ  Ｔ」と読めるはずである。
４．カバーを開け、サンプルをセンサーの前に立たせて置く。
５．蓋を閉め、読み取りを記録する（例えば、６４０  ＮＭ  ０．１２３  Ａ  Ｔ）
注意：全ての読み取りは「Ａ」モード（吸光度モード）で行なう。新しい波長設定ごと、及び／又は新しいサンプルごとに機器のゼロ合わせを行なう。
【表２】
2009536249.tif 000008
【０１０１】
組成物の使用−ゲル洗剤組成物は洗濯用洗浄製品（例えば、洗濯用洗剤、及び／又は洗濯用前処理用品）として使用され得る。このゲル洗剤組成物、より具体的には分与したときにもり上がるようなゲル洗剤は、洗濯前処理品及び洗剤を１つの製品とする利点を与える。使用において、測定された量の組成物を洗濯物に付け、若しくは洗濯機に入れ、その上に水を混入して、洗濯物の洗浄が実行される。注目すべきは、組成物中の中和されていない脂肪酸の存在により、この組成物は低起泡性となり、これより前面出し入れ式の洗濯機で使用するのに特に好適なことである。
【０１０２】
「発明を実施するための最良の形態」で引用した全ての文献は、関連部分において、本明細書の参照として組み込まれるが、いかなる文献の引用も、それが本発明に対する先行技術であることを容認するものと解釈されるべきではない。この文書における用語のいずれかの意味若しくは定義が、参照として組み込まれる文献における用語のいずれかの意味若しくは定義と対立する範囲については、本文書におけるその用語に与えられた定義を適用するものとする。
【０１０３】
本発明の組成物は、本発明の組成物並びに本明細書で記述されているその他の成分を含むことができ、本質的にそれらからなることができ、若しくはそれらからなることができる。本明細書で使用するとき、「から本質的になる」とは、組成物若しくは構成成分は追加成分を包んでもよいが、その追加成分が特許請求される組成物又は方法の基本的及び新規な特徴を大きく変化させない場合に限ることを意味する。
【０１０４】
特に注記しない限り、物品は「１つ以上」を意味する。すべてのパーセントは特に指定しない限り重量に基づく。当然のことながら、本明細書全体を通じて、記載されているあらゆる最大数値限定は、それより小さいあらゆる数値限定を、そのようなより小さい数値限定が本明細書に明示的に記載されているかのように含む。本明細書全体を通じて、記載されているあらゆる最小数値限定は、それより大きいあらゆる数値限定を、そのような大きい数値限定が本明細書に明示的に記載されているかのように含む。本明細書全体を通じて記載されているあらゆる数値範囲は、そのようなより広い数値範囲内に入るそれよりも狭いあらゆる数値範囲を、そのようなより狭い数値範囲が全て本明細書に明示的に記載されているかのように含む。特に指定しない限り、全ての温度は摂氏（℃）である。
【０１０５】
本発明にかかる具体的な実施形態を図示し、記載したが、本発明の趣旨及び範囲から逸脱することなく他の種々の変更及び修正を実施できることが当業者には自明である。従って、本発明の範囲内にあるそのような全ての変更及び修正を添付の特許請求の範囲で扱うものとする。
【図面の簡単な説明】
【０１０６】
【図１】１つの可能な底部から分与する容器の正面図の具体的な実例。
【図２】図１の底部から分与する容器の断面。
【図３】１つの可能な底部から分与する容器の正面図の具体的な実例。
【図４】図３の底部から分与する容器の分解組立図。
【図５】図３の底部から分与する容器の閉止位置の弁を示す断面。
【図６】図３の底部から分与する容器の弁の断面。
【図７】図３の底部から分与する容器の開位置の弁を示す断面。
【図８】人間の手に握られた、図３に図示された、底部から分与する容器の具体的な実例。
【図９】他の底部から分与する容器の具体的な実例。
【図１】
2009536249.tif 000009
【図２】
2009536249.tif 000010
【図３】
2009536249.tif 000011
【図４】
2009536249.tif 000012
【図５】
2009536249.tif 000013
【図６】
2009536249.tif 000014
【図７】
2009536249.tif 000015
【図８】
2009536249.tif 000016
【図９】
2009536249.tif 000017
【国際調査報告】
2009536249.tif 000018
2009536249.tif 000019
2009536249.tif 000020